(57)【要約】【課題】中性子とはどのようなものか。中性子はどのようなメカニズムによってできたか。核融合反応とはどのような事が行われるのか。【解決手段】核融合反応が行われる場を１５００万Ｋ度とすると、その場のエネルギーは、地球の５×１０６倍のエネルギーです。核融合反応は軌道が小さくなる事によって行われる。軌道が小さくなる事によってどのような事がおきるか。軌道が小さくなる事によって、引力が大きくなる。電子のラブと陽子のラブの引力が大きくなる事によって、電子のラブは陽子のラブに引き寄せられ、まるで月が地球の周囲を回転するように、電子のラブは陽子のラブの周囲を回転する。即ち、電子のラブは陽子のラブが自転する周囲を自転するように成る。これが核融合反応です。このため、陽子のラブの自転軌道、公転軌道、できる磁気の光子、できる電気の光子も考える。【選択図】図７
2005310802.tif 000002
【特許請求の範囲】
【請求項１】
中性子とはどのようなものか。
中性子は、陽子のラブの自転の周囲を電子のラブが自転しているものです。
【請求項２】
中性子の陽子のラブの自転軌道と、電子のラブの自転軌道はどれ位か。
ラブの自転軌道の式は、１０−３１Ｊ・ｍ÷軌道又はエネルギーですから、
陽子のラブの自転軌道は、１０−３１Ｊ・ｍ÷（１．５×１０−１０Ｊ）＝６．７×１０−２２ｍです。
電子のラブの自転軌道は、１０−３１Ｊ・ｍ÷（８×１０−１４Ｊ）＝１．２５×１０−１８ｍです。
しかし、中性子の質量エネルギーは、９３９．６ＭｅＶです。
陽子の質量エネルギーは、９３８．３ＭｅＶです。
電子の質量エネルギーは、０．５１１ＭｅＶです。
それで、中性子の電子のエネルギーは、９３９．６ＭｅＶ−９３８．３ＭｅＶ＝１．３ＭｅＶに成っていなす。
これは、電子の質量エネルギーの、１．３ＭｅＶ÷０．５１１ＭｅＶ＝２．５４４倍になっています。
この事は、電子のラブの軌道は、２．５４４分の１になっている事です。
それで、中性子の電子のラブの自転軌道は、１．２５×１０−１８ｍ÷２．５４４＝４．９１３×１０−１９ｍになっています。
即ち、中性子は、陽子のラブは６．７×１０−２２ｍの軌道を自転し、その周囲を、電子のラブは４．９１３×１０−１９ｍの軌道で自転している。
【請求項３】
陽子のラブの公転軌道と自転軌道はどれ位か。
陽子のラブの公転軌道は、
ラブの公転軌道の式は、１０−２３Ｊ・ｍ÷軌道又はエネルギー  ですから、
陽子のラブの公転軌道は、１０−２３Ｊ・ｍ÷（１．５×１０−１０Ｊ）＝６．７×１０−１４ｍです。
ラブの自転軌道の式は、１０−３１Ｊ・ｍ÷軌道又はエネルギーですから、
陽子のラブの自転軌道は、１０−３１Ｊ・ｍ÷（１．５×１０−１０Ｊ）＝６．７×１０−２２ｍです。
【請求項４】
陽子のラブは１秒間に何回自転するか。何回公転するか。
本発明者は、原子の中の電子の秒速を４×１０６ｍとしました。
水素原子内の電子の秒速は２．２×１０６ｍですから、これで良い。
Ｎａ原子の秒速は２．８９×１０３ｍです。
それで、陽子の秒速を２．８９×１０３ｍとします。
陽子のラブの自転軌道は、６．７×１０−２２ｍですから、１秒間の自転数は、
２．８９×１０３ｍ÷（６．７×１０−２２ｍ×３．１４）＝１．３７３×１０２４回です。
陽子のラブの公転軌道は、６．７×１０−１４ｍですから、１秒間の公転数は、
２．８９×１０３ｍ÷（６．７×１０−１４ｍ×３．１４）＝１．３７３×１０１６回です。
陽子の秒速を２×１０３ｍとします。
陽子のラブの１秒間の自転数は、
２×１０３ｍ÷（６．７×１０−２２ｍ×３．１４）≒１０２４回です。
陽子のラブの１秒間の公転数は、
２×１０３ｍ÷（６．７×１０−１４ｍ×３．１４）≒１０１６回です。
よって、１秒間の、陽子のラブの自転数と、電子のラブの自転数は同じです。
１秒間の、陽子のラブの公転数と、電子のラブの公転数は同じです。
陽子のラブと電子のラブは一緒に自転し、公転する。
【請求項５】
陽子のラブが１回自転してできる１個の磁気の光子のエネルギーと、１個の磁気の光子の運動量と、１秒間にできる磁気の光子のエネルギーと、１秒間にできる磁気の光子の運動量はどれだけか。
陽子のラブが１回自転してできる１個の磁気の光子のエネルギーは、
１．５×１０−１０Ｊ÷１０２４個＝１．５×１０−３４Ｊです。
１個の磁気の光子の運動量は、
１個の磁気の光子のエネルギー×軌道＝１．５×１０−３４Ｊ×６．７×１０−２２ｍ＝１０−５５Ｊ・ｍです。
陽子のラブが作る、磁気の光子１個の軌道エネルギーの式は、１０−５５Ｊ・ｍ÷軌道又はエネルギー  です。
１秒間にできる磁気の光子のエネルギーは、
１個の磁気の光子のエネルギー×１秒間にできる磁気の光子の数＝１．５×１０−３４Ｊ×１０２４個＝１．５×１０−１０Ｊです。
１秒間にできる磁気の光子の運動量は、
１個の磁気の光子のエネルギー×軌道×１秒間にできる磁気の光子の数＝１．５×１０−３４Ｊ×６．７×１０−２２ｍ×１０２４個＝１０−３１Ｊ・ｍです。
陽子のラブが作る、磁気の光子の軌道エネルギーの式は、１０−３１Ｊ・ｍ÷軌道又はエネルギー  です。
これらの事により、
陽子のラブが１自転してできる１個の磁気の光子の運動量と、電子のラブが１自転してできる１個の磁気の光子の運動量は１０−５５Ｊ・ｍで、等しい。
磁気の光子１個の軌道エネルギーの式は、陽子のラブの自転でできた磁気の光子と、電子のラブの自転でできた磁気の光子は、１０−５５Ｊ・ｍ÷軌道又はエネルギー  であり、等しい。
陽子のラブが１秒間に作る磁気の光子の運動量と、電子のラブが１秒間に作る磁気の光子の運動量は１０−３１Ｊ・ｍで、等しい。
磁気の光子の軌道エネルギーの式は、陽子のラブの自転でできた磁気の光子と、電子のラブの自転でできた磁気の光子は、１０−３１Ｊ・ｍ÷軌道又はエネルギー  であり、等しい。
【請求項６】
陽子のラブが１回公転してできる１個の電気の光子のエネルギーと、１個の電気の光子の運動量と、１秒間にできる電気の光子のエネルギーと、１秒間にできる電気の光子の運動量はどれだけか。
陽子のラブが１回公転してできる１個の電気の光子のエネルギーは、
１．５×１０−１０Ｊ÷１０１６個＝１．５×１０−２６Ｊです。
１個の電気の光子の運動量は、
１個の電気の光子のエネルギー×軌道＝１．５×１０−２６Ｊ×６．７×１０−１４ｍ＝１０−３９Ｊ・ｍです。
陽子のラブが作る、１個の電気の光子の軌道エネルギーの式は、１０−３９Ｊ・ｍ÷軌道又はエネルギー  です。
１秒間にできる電気の光子のエネルギーは、
１個の電気の光子のエネルギー×１秒間にできる電気の光子の数＝１．５×１０−２６Ｊ×１０１６個＝１．５×１０−１０Ｊです。
１秒間にできる電気の光子の運動量は、
１個の電気の光子のエネルギー×軌道×１秒間にできる電気の光子の数＝１．５×１０−２６Ｊ×６．７×１０−１４ｍ×１０１６個＝１０−２３Ｊ・ｍです。
陽子のラブが作る、電気の光子の軌道エネルギーの式は、１０−２３Ｊ・ｍ÷軌道又はエネルギー  です。
これらの事により、
陽子のラブが１公転してできる１個の電気の光子の運動量と、電子のラブが１公転してできる１個の電気の光子の運動量は１０−３９Ｊ・ｍで、等しい。
電気の光子１個の軌道エネルギーの式は、陽子のラブの公転でできた電気の光子と、電子のラブの公転でできた電気の光子は、１０−３９Ｊ・ｍ÷軌道又はエネルギー  であり、等しい。
陽子のラブが１秒間に作る電気の光子の運動量と、電子のラブが１秒間に作る電気の光子の運動量は１０−２３Ｊ・ｍで、等しい。
電気の光子の軌道エネルギーの式は、陽子のラブの公転でできた電気の光子と、電子のラブの公転でできた電気の光子は、１０−２３Ｊ・ｍ÷軌道又はエネルギー  であり、等しい。
【請求項７】
陽子のラブが作る、軌道１ｍにおける磁気の光子のエネルギーと電気の光子のエネルギーはどれ位か。
陽子のラブが作る、磁気の光子の軌道エネルギーの式は、１０−３１Ｊ・ｍ÷軌道又はエネルギー  です。
陽子のラブが作る、軌道１ｍにおける磁気の光子のエネルギーは、
１０−３１Ｊ・ｍ÷１ｍ＝１０−３１Ｊです。
陽子のラブが作る、電気の光子の軌道エネルギーの式は、１０−２３Ｊ・ｍ÷軌道又はエネルギー  です。
陽子のラブが作る、軌道１ｍにおける電気の光子のエネルギーは、
１０−２８Ｊ・ｍ÷１ｍ＝１０−２３Ｊです。
この事から、陽子のラブが作る磁気の光子のエネルギーと、電子のラブが作る磁気の光子のエネルギーは、同じ軌道に於いて、等しい。
即ち、陽子のラブが作る万有引力と、電子のラブが作る万有引力は等しい。
【請求項８】
万有引力は何によってできるか。
万有引力は、陽子のラブの自転によってできた磁気の光子と、電子のラブの自転によってできた磁気の光子によってできる。
陽子のラブの自転によってできた磁気の光子の運動量と、電子のラブの自転によってできた磁気の光子の運動量は等しいので、同じ軌道では同じエネルギーの磁気の光子ができる。よって、万有引力の半分は陽子のラブの自転によってでき、半分は電子のラブの自転によってできる。
１原子でできる万有引力は１．６３×１０−３１Ｊですが、０．８１５×１０−３１Ｊは陽子のラブの自転ででき、０．８１５×１０−３１Ｊは電子のラブの自転でできる。
【請求項９】
地球において、陽子のラブと電子のラブはどのように自転し公転しているか。
陽子のラブの公転軌道は、６．７×１０−１４ｍです。
陽子のラブの自転軌道は、６．７×１０−２２ｍです。
電子のラブの公転軌道は、１．２５×１０−１０ｍです。
電子のラブの自転軌道は、１．２５×１０−１８ｍです。
１秒間の陽子のラブの公転数は１０１６回です。
１秒間の電子のラブの公転数は１０１６回です。
１秒間の陽子のラブの自転数は１０２４回です。
１秒間の電子のラブの自転数は１０２４回です。
それで、陽子のラブと電子のラブは離れて、自分の軌道を回転している。
しかし、回転数が同じなので、同じ方向で回転している。
【請求項１０】
どうして、電子のラブは陽子のラブの自転の周囲を自転するように成るのか。核融合反応が行われる場において、電子のラブの自転はどのように成るか。核融合反応とはどのようなことか。
核融合反応が行われる場は、高エネルギーの場であるから、電子のラブの自転軌道は小さくなる。陽子のラブの自転軌道は小さくなる。
核融合反応が行われる場の温度を１５００万Ｋ度であるとします。
地球の温度を３００Ｋ度であるとします。
核融合反応が行われる場のエネルギーは、地球のエネルギーの、１５００×１０４Ｋ÷３００Ｋ＝５×１０６倍のエネルギーです。
核融合反応が行われる場の軌道は、地球のエネルギーの、５×１０６分の１の軌道です。
核融合反応が行われる場において、
電子のラブの自転は、１．２５×１０−１８ｍ÷（５×１０６）＝２．５×１０−２５ｍです。
陽子のラブの自転は、６．７×１０−２２ｍ÷（５×１０６）＝１．３４×１０−２８ｍです。
電子のラブの公転は、１．２５×１０−１０ｍ÷（５×１０６）＝２．５×１０−１７ｍです。
陽子のラブの公転は、６．７×１０−１４ｍ÷（５×１０６）＝１．３４×１０−２０ｍです。
電子のラブの公転軌道と陽子のラブの公転軌道は近づく。
電子のラブの自転軌道と陽子のラブの自転軌道は近づく。
それで、電子のラブと陽子のラブの引力が大きくなる。
そのため、陽子のラブに電子のラブは引かれる。
そして、陽子のラブの自転の周囲を電子のラブは自転する。
それはまるで、地球の周囲を月が回るようにです。
これが核融合反応です。
【請求項１１】
核融合反応が行われる場の引力は、地球の場の引力の何倍になるか。
地球に於ける、陽子のラブの公転軌道は６．７×１０−１４ｍで、電子のラブの公転軌道は１．２５×１０−１０ｍです。
核融合反応が行われる場に於ける、陽子のラブの公転軌道は１．３４×１０−２０ｍで、電子のラブの公転軌道は２．５×１０−１７ｍです。
引力は、離れている距離の２乗に反比例しますから、
地球において、電子のラブと陽子のラブが離れている距離は、
１．２５×１０−１０ｍ−（６．７×１０−１４ｍ）＝（１．２５−０．０００６７）×１０−１０ｍ≒１．２５×１０−１０ｍです。
引力＝１÷（１．２５×１０−１０）２＝０．６４×１０２０
核融合反応が行われる場において、電子のラブと陽子のラブが離れている距離は、
２．５×１０−１７ｍ−（１．３４×１０−２０ｍ）＝（２．５−０．００１３４）×１０−１７ｍ≒２．５×１０−１７ｍです。
引力＝１÷（２．５×１０−１７）２＝０．１６×１０３４
それで、引力は、０．１６×１０３４÷（０．６４×１０２０）＝２．５×１０１３倍です。
電子のラブと陽子のラブの間の引力が、２．５×１０１３倍になったので、電子のラブは、陽子のラブの自転の周囲を自転する。
核融合反応が行われる場において、
陽子のラブは１．３４×１０−２８ｍで自転し、そのまわりを、電子のラブは２．５×１０−２５ｍの軌道で自転する。
【請求項１２】
引力の式はどのようであるか。
本発明者は、２００５年５月１８日提出した特許願「万有引力と素粒子」の６番で、万有引力はラブの自転の運動量であると記した。
この事は、万有引力の式は、１０−３１Ｊ・ｍ÷軌道又はエネルギー  であることです。
【請求項１３】
地球における、電子のラブの公転軌道の引力と、陽子のラブの公転軌道の引力はどれ位か。
電子のラブの公転軌道の引力は、１０−３１Ｊ・ｍ÷（１．２５×１０−１０ｍ）＝８×１０−２２Ｊです。
陽子のラブの公転軌道の引力は、１０−３１Ｊ・ｍ÷（６．７×１０−１４ｍ）＝１．４９×１０−１８Ｊです。
電子のラブの公転軌道の引力×陽子のラブの公転軌道の引力＝８×１０−２２Ｊ×１．４９×１０−１８Ｊ＝１．１９２×１０−３９Ｊ２
地球における、電子のラブの公転軌道の引力×陽子のラブの公転軌道の引力は、１．１９２×１０−３９Ｊ２です。
【請求項１４】
核融合反応が行われる場における、電子のラブの公転軌道の引力と、陽子のラブの公転軌道の引力はどれ位か。
電子のラブの公転軌道の引力は、１０−３１Ｊ・ｍ÷（２．５×１０−１７ｍ）＝４×１０−１５Ｊです。
陽子のラブの公転軌道の引力は、１０−３１Ｊ・ｍ÷（１．３４×１０−２０ｍ）＝７．４６×１０−１２Ｊです。
電子のラブの公転軌道の引力×陽子のラブの公転軌道の引力＝４×１０−１５Ｊ×７．４６×１０−１２Ｊ＝２．９８４×１０−２６Ｊ２
核融合反応が行われる場における、電子のラブの公転軌道の引力×陽子のラブの公転軌道の引力は、２．９８４×１０−２６Ｊ２です。
【請求項１５】
核融合反応が行われる場における、電子のラブの公転軌道の引力×陽子のラブの公転軌道の引力は、地球における、電子のラブの公転軌道の引力×陽子のラブの公転軌道の引力の何倍か。
核融合反応が行われる場における、電子のラブの公転軌道の引力×陽子のラブの公転軌道の引力は、２．９８４×１０−２６Ｊ２です。
地球における、電子のラブの公転軌道の引力×陽子のラブの公転軌道の引力は、１．１９２×１０−３９Ｊ２です。
核融合反応が行われる場における、電子のラブの公転軌道の引力×陽子のラブの公転軌道の引力は、地球における、電子のラブの公転軌道の引力×陽子のラブの公転軌道の引力の、２．９８４×１０−２６Ｊ２÷（１．１９２×１０−３９Ｊ２）＝２．５×１０１３倍です。
【請求項１６】
核融合反応が行われる場の引力が中性子を作った事は、何によって証明できるか。
中性子の質量エネルギーは、９３９．６ＭｅＶです。
陽子の質量エネルギーは、９３８．３ＭｅＶです。
電子の質量エネルギーは、０．５１１ＭｅＶです。
それで、中性子の電子のエネルギーは、９３９．６ＭｅＶ−９３８．３ＭｅＶ＝１．３ＭｅＶに成っています。
これは、電子の質量エネルギーの、１．３ＭｅＶ÷０．５１１ＭｅＶ＝２．５４４倍になっています。
この事は、電子のラブの軌道は、２．５４４分の１に小さく成っています。
この事は、電子のラブが陽子のラブに引き付けられた事を証明しています。
中性子では、電子のラブの自転軌道は、１．２５×１０−１８ｍ÷２．５４４＝４．９１３×１０−１９ｍになっている。
どれだけ、陽子のラブにより、引き寄せられたか。
１．２５×１０−１８ｍ−（４．９１３×１０−１９ｍ）＝７．５８７×１０−１９ｍ引き寄せられ、小さくなっています。
【発明の詳細な説明】
【技術分野】
【０００１】  本発明は、中性子と素粒子に関する。
核融合反応で、どのように中性子ができるかに関する。
中性子はどのようなものであるかに関する。
陽子の自転と公転に関する。
【背景技術】
【０００２】  従来、中性子は電子の軌道が小さくなり、陽子の近くを回転しているものであると考えられている。陽子が作る磁気は電子が作る磁気の２０００倍であると考えられている。
【発明の開示】
【発明が解決しようとする課題】
【０００３】１．中性子とはどのようなものか。
２．中性子の陽子のラブの自転軌道と、電子のラブの自転軌道はどれ位か。
３．陽子のラブの公転軌道と自転軌道はどれ位か。
４．陽子のラブは１秒間に何回自転するか。何回公転するか。
５．陽子のラブが１回自転してできる１個の磁気の光子のエネルギーと、１個の磁気の光子の運動量と、１秒間にできる磁気の光子のエネルギーと、１秒間にできる磁気の光子の運動量はどれだけか。
６．陽子のラブが１回公転してできる１個の電気の光子のエネルギーと、１個の電気の光子の運動量と、１秒間にできる電気の光子のエネルギーと、１秒間にできる電気の光子の運動量はどれだけか。
７．陽子のラブが作る、軌道１ｍにおける磁気の光子のエネルギーと電気の光子のエネルギーはどれ位か。
８．万有引力は何によってできるか。
９．地球において、陽子のラブと電子のラブはどのように自転し公転しているか。
１０．どうして、電子のラブは陽子のラブの自転の周囲を自転するように成るか。核融合反応が行われる場において、電子のラブの自転はどのように成るか。核融合反応とはどのような事か。
１１．核融合反応が行われる場の引力は、地球の場の引力の何倍になるか。
１２．引力の式はどのようであるか。
１３．地球における、電子のラブの公転軌道の引力と、陽子のラブの公転軌道の引力はどれ位か。
１４．核融合反応が行われる場における、電子のラブの公転軌道の引力と、陽子のラブの公転軌道の引力はどれ位か。
１５．核融合反応が行われる場における、電子のラブの公転軌道の引力×陽子のラブの公転軌道の引力は、地球における、電子のラブの公転軌道の引力×陽子のラブの公転軌道の引力の何倍か。
１６．核融合反応が行われる場の引力が中性子を作った事は、何によって証明できるか。
【課題を解決するための手段】
【０００４】中性子はどのようになっているのか。中性子はどのようにできるのか。
核融合反応が行われる場は、エネルギーが高くなり、軌道は小さくなる。
仮に、核融合反応が１５００万Ｋ度で行われるとすると、その場のエネルギーは、地球の５×１０６倍のエネルギーです。それで、核融合反応が行われる場では、軌道は、地球の５×１０６分の１になる。この事によって何がおきるか。
軌道が小さくなる事によって、電子のラブと陽子のラブは近づき、引力が大きくなる。
電子のラブは、陽子のラブに近くなり、陽子のラブの自転のまわりを自転するように成る。
これが核融合反応です。それまで別々に自転していた電子のラブと陽子のラブが、陽子のラブの自転の周囲を電子のラブが自転します。これが中性子です。
このように考え、地球に於ける、陽子のラブの自転軌道と公転軌道、及び電子のラブの自転軌道と公転軌道について計算する。
核融合反応が行われる場に於ける、陽子のラブの自転軌道と公転軌道、及び電子のラブの自転軌道と公転軌道について計算する。
【発明の実施態様】
【０００５】１．中性子とはどのようなものか。
中性子は、陽子のラブの自転の周囲を電子のラブが自転しているものです。
２．中性子の陽子のラブの自転軌道と、電子のラブの自転軌道はどれ位か。図１ラブの自転軌道の式は、１０−３１Ｊ・ｍ÷軌道又はエネルギーですから、
陽子のラブの自転軌道は、１０−３１Ｊ・ｍ÷（１．５×１０−１０Ｊ）＝６．７×１０−２２ｍです。
電子のラブの自転軌道は、１０−３１Ｊ・ｍ÷（８×１０−１４Ｊ）＝１．２５×１０−１８ｍです。
しかし、中性子の質量エネルギーは、９３９．６ＭｅＶです。
陽子の質量エネルギーは、９３８．３ＭｅＶです。
電子の質量エネルギーは、０．５１１ＭｅＶです。
それで、中性子の電子のエネルギーは、９３９．６ＭｅＶ−９３８．３ＭｅＶ＝１．３ＭｅＶに成っていなす。
これは、電子の質量エネルギーの、１．３ＭｅＶ÷０．５１１ＭｅＶ＝２．５４４倍になっています。
この事は、電子のラブの軌道は、２．５４４分の１になっている事です。
それで、中性子の電子のラブの自転軌道は、１．２５×１０−１８ｍ÷２．５４４＝４．９１３×１０−１９ｍになっています。
即ち、中性子は、陽子のラブは６．７×１０−２２ｍの軌道を自転し、その周囲を、電子のラブは４．９１３×１０−１９ｍの軌道で自転している。
３．陽子のラブの公転軌道と自転軌道はどれ位か。図２
陽子のラブの公転軌道は、
ラブの公転軌道の式は、１０−２３Ｊ・ｍ÷軌道又はエネルギー  ですから、
陽子のラブの公転軌道は、１０−２３Ｊ・ｍ÷（１．５×１０−１０Ｊ）＝６．７×１０−１４ｍです。
ラブの自転軌道の式は、１０−３１Ｊ・ｍ÷軌道又はエネルギーですから、
陽子のラブの自転軌道は、１０−３１Ｊ・ｍ÷（１．５×１０−１０Ｊ）＝６．７×１０−２２ｍです。
４．陽子のラブは１秒間に何回自転するか。何回公転するか。図３
本発明者は、原子の中の電子の秒速を４×１０６ｍとしました。
水素原子内の電子の秒速は２．２×１０６ｍですから、これで良い。
Ｎａ原子の秒速は２．８９×１０３ｍです。
それで、陽子の秒速を２．８９×１０３ｍとします。
陽子のラブの自転軌道は、６．７×１０−２２ｍですから、１秒間の自転数は、
２．８９×１０３ｍ÷（６．７×１０−２２ｍ×３．１４）＝１．３７３×１０２４回です。
陽子のラブの公転軌道は、６．７×１０−１４ｍですから、１秒間の公転数は、
２．８９×１０３ｍ÷（６．７×１０−１４ｍ×３．１４）＝１．３７３×１０１６回です。
陽子の秒速を２×１０３ｍとします。
陽子のラブの１秒間の自転数は、
２×１０３ｍ÷（６．７×１０−２２ｍ×３．１４）≒１０２４回です。
陽子のラブの１秒間の公転数は、
２×１０３ｍ÷（６．７×１０−１４ｍ×３．１４）≒１０１６回です。
よって、１秒間の、陽子のラブの自転数と、電子のラブの自転数は同じです。
１秒間の、陽子のラブの公転数と、電子のラブの公転数は同じです。
陽子のラブと電子のラブは一緒に自転し、公転する。
５．陽子のラブが１回自転してできる１個の磁気の光子のエネルギーと、１個の磁気の光子の運動量と、１秒間にできる磁気の光子のエネルギーと、１秒間にできる磁気の光子の運動量はどれだけか。
陽子のラブが１回自転してできる１個の磁気の光子のエネルギーは、
１．５×１０−１０Ｊ÷１０２４個＝１．５×１０−３４Ｊです。
１個の磁気の光子の運動量は、
１個の磁気の光子のエネルギー×軌道＝１．５×１０−３４Ｊ×６．７×１０−２２ｍ＝１０−５５Ｊ・ｍです。
陽子のラブが作る、磁気の光子１個の軌道エネルギーの式は、１０−５５Ｊ・ｍ÷軌道又はエネルギー  です。
１秒間にできる磁気の光子のエネルギーは、
１個の磁気の光子のエネルギー×１秒間にできる磁気の光子の数＝１．５×１０−３４Ｊ×１０２４個＝１．５×１０−１０Ｊです。
１秒間にできる磁気の光子の運動量は、
１個の磁気の光子のエネルギー×軌道×１秒間にできる磁気の光子の数＝１．５×１０−３４Ｊ×６．７×１０−２２ｍ×１０２４個＝１０−３１Ｊ・ｍです。
陽子のラブが作る、磁気の光子の軌道エネルギーの式は、１０−３１Ｊ・ｍ÷軌道又はエネルギー  です。
これらの事により、
陽子のラブが１自転してできる１個の磁気の光子の運動量と、電子のラブが１自転してできる１個の磁気の光子の運動量は１０−５５Ｊ・ｍで、等しい。
磁気の光子１個の軌道エネルギーの式は、陽子のラブの自転でできた磁気の光子と、電子のラブの自転でできた磁気の光子は、１０−５５Ｊ・ｍ÷軌道又はエネルギー  であり、等しい。
陽子のラブが１秒間に作る磁気の光子の運動量と、電子のラブが１秒間に作る磁気の光子の運動量は１０−３１Ｊ・ｍで、等しい。
磁気の光子の軌道エネルギーの式は、陽子のラブの自転でできた磁気の光子と、電子のラブの自転でできた磁気の光子は、１０−３１Ｊ・ｍ÷軌道又はエネルギー  であり、等しい。
６．陽子のラブが１回公転してできる１個の電気の光子のエネルギーと、１個の電気の光子の運動量と、１秒間にできる電気の光子のエネルギーと、１秒間にできる電気の光子の運動量はどれだけか。
陽子のラブが１回公転してできる１個の電気の光子のエネルギーは、
１．５×１０−１０Ｊ÷１０１６個＝１．５×１０−２６Ｊです。
１個の電気の光子の運動量は、
１個の電気の光子のエネルギー×軌道＝１．５×１０−２６Ｊ×６．７×１０−１４ｍ＝１０−３９Ｊ・ｍです。
陽子のラブが作る、１個の電気の光子の軌道エネルギーの式は、１０−３９Ｊ・ｍ÷軌道又はエネルギー  です。
１秒間にできる電気の光子のエネルギーは、
１個の電気の光子のエネルギー×１秒間にできる電気の光子の数＝１．５×１０−２６Ｊ×１０１６個＝１．５×１０−１０Ｊです。
１秒間にできる電気の光子の運動量は、
１個の電気の光子のエネルギー×軌道×１秒間にできる電気の光子の数＝１．５×１０−２６Ｊ×６．７×１０−１４ｍ×１０１６個＝１０−２３Ｊ・ｍです。
陽子のラブが作る、電気の光子の軌道エネルギーの式は、１０−２３Ｊ・ｍ÷軌道又はエネルギー  です。
これらの事により、
陽子のラブが１公転してできる１個の電気の光子の運動量と、電子のラブが１公転してできる１個の電気の光子の運動量は１０−３９Ｊ・ｍで、等しい。
電気の光子１個の軌道エネルギーの式は、陽子のラブの公転でできた電気の光子と、電子のラブの公転でできた電気の光子は、１０−３９Ｊ・ｍ÷軌道又はエネルギー  であり、等しい。
陽子のラブが１秒間に作る電気の光子の運動量と、電子のラブが１秒間に作る電気の光子の運動量は１０−２３Ｊ・ｍで、等しい。
電気の光子の軌道エネルギーの式は、陽子のラブの公転でできた電気の光子と、電子のラブの公転でできた電気の光子は、１０−２３Ｊ・ｍ÷軌道又はエネルギー  であり、等しい。
７．陽子のラブが作る、軌道１ｍにおける磁気の光子のエネルギーと電気の光子のエネルギーはどれ位か。図４
陽子のラブが作る、磁気の光子の軌道エネルギーの式は、１０−３１Ｊ・ｍ÷軌道又はエネルギー  です。
陽子のラブが作る、軌道１ｍにおける磁気の光子のエネルギーは、
１０−３１Ｊ・ｍ÷１ｍ＝１０−３１Ｊです。
陽子のラブが作る、電気の光子の軌道エネルギーの式は、１０−２３Ｊ・ｍ÷軌道又はエネルギー  です。
陽子のラブが作る、軌道１ｍにおける電気の光子のエネルギーは、
１０−２３Ｊ・ｍ÷１ｍ＝１０−２３Ｊです。
この事から、陽子のラブが作る磁気の光子のエネルギーと、電子のラブが作る磁気の光子のエネルギーは、同じ軌道に於いて、等しい。
即ち、陽子のラブが作る万有引力と、電子のラブが作る万有引力は等しい。
８．万有引力は何によってできるか。
万有引力は、陽子のラブの自転によってできた磁気の光子と、電子のラブの自転によってできた磁気の光子によってできる。
陽子のラブの自転によってできた磁気の光子の運動量と、電子のラブの自転によってできた磁気の光子の運動量は等しいので、同じ軌道では同じエネルギーの磁気の光子ができる。
よって、万有引力の半分は陽子のラブの自転によってでき、半分は電子のラブの自転によってできる。
１原子でできる万有引力は１．６３×１０−３１Ｊですが、０．８１５×１０−３１Ｊは陽子のラブの自転ででき、０．８１５×１０−３１Ｊは電子のラブの自転でできる。
９．地球において、陽子のラブと電子のラブはどのように自転し公転しているか。図５
陽子のラブの公転軌道は、６．７×１０−１４ｍです。
陽子のラブの自転軌道は、６．７×１０−２２ｍです。
電子のラブの公転軌道は、１．２５×１０−１０ｍです。
電子のラブの自転軌道は、１．２５×１０−１８ｍです。
１秒間の陽子のラブの公転数は１０１６回です。
１秒間の電子のラブの公転数は１０１６回です。
１秒間の陽子のラブの自転数は１０２４回です。
１秒間の電子のラブの自転数は１０２４回です。
それで、陽子のラブと電子のラブは離れて、自分の軌道を回転している。
しかし、回転数が同じなので、同じ方向で回転している。
１０．どうして、電子のラブは陽子のラブの自転の周囲を自転するように成ったのか。核融合反応が行われる場において、電子のラブの自転はどのように成るか。核融合反応とはどのような事か。図６
核融合反応が行われる場は、高エネルギーの場であるから、電子のラブの自転軌道は小さくなる。陽子のラブの自転軌道は小さくなる。
核融合反応が行われる場の温度を１５００万Ｋ度であるとします。
地球の温度を３００Ｋ度であるとします。
核融合反応が行われる場のエネルギーは、地球のエネルギーの、１５００×１０４Ｋ÷３００Ｋ＝５×１０６倍のエネルギーです。
核融合反応が行われる場の軌道は、地球のエネルギーの、５×１０６分の１の軌道です。
核融合反応が行われる場において、
電子のラブの自転は、１．２５×１０−１８ｍ÷（５×１０６）＝２．５×１０−２５ｍです。
陽子のラブの自転は、６．７×１０−２２ｍ÷（５×１０６）＝１．３４×１０−２８ｍです。
電子のラブの公転は、１．２５×１０−１０ｍ÷（５×１０６）＝２．５×１０−１７ｍです。
陽子のラブの公転は、６．７×１０−１４ｍ÷（５×１０６）＝１．３４×１０−２０ｍです。
電子のラブの公転軌道と陽子のラブの公転軌道は近づく。
電子のラブの自転軌道と陽子のラブの自転軌道は近づく。
それで、電子のラブと陽子のラブの引力が大きくなる。
そのため、陽子のラブに電子のラブは引かれる。
そして、陽子のラブの自転の周囲を電子のラブは自転する。
それはまるで、地球の周囲を月が回るようにです。
これが核融合反応です。
１１．核融合反応が行われる場の引力は、地球の場の引力の何倍になるか。図７
地球に於ける、陽子のラブの公転軌道は６．７×１０−１４ｍで、電子のラブの公転軌道は１．２５×１０−１０ｍです。
核融合反応が行われる場に於ける、陽子のラブの公転軌道は１．３４×１０−２０ｍで、電子のラブの公転軌道は２．５×１０−１７ｍです。
引力は、離れている距離の２乗に反比例しますから、
地球において、電子のラブと陽子のラブが離れている距離は、
１．２５×１０−１０ｍ−（６．７×１０−１４ｍ）＝（１．２５−０．０００６７）×１０−１０ｍ≒１．２５×１０−１０ｍです。
引力＝１÷（１．２５×１０−１０）２＝０．６４×１０２０
核融合反応が行われる場において、電子のラブと陽子のラブが離れている距離は、
２．５×１０−１７ｍ−（１．３４×１０−２０ｍ）＝（２．５−０．００１３４）×１０−１７ｍ≒２．５×１０−１７ｍです。
引力＝１÷（２．５×１０−１７）２＝０．１６×１０３４
それで、引力は、０．１６×１０３４÷（０．６４×１０２０）＝２．５×１０１３倍です。
電子のラブと陽子のラブの間の引力が、２．５×１０１３倍になったので、電子のラブは、陽子のラブの自転の周囲を自転する。
核融合反応が行われる場において、
陽子のラブは１．３４×１０−２８ｍで自転し、そのまわりを、電子のラブは２．５×１０−２５ｍの軌道で自転する。
１２．引力の式はどのようであるか。
本発明者は、２００５年５月１８日提出した特許願「万有引力と素粒子」の６番で、万有引力はラブの自転の運動量であると記した。
この事は、万有引力の式は、１０−３１Ｊ・ｍ÷軌道又はエネルギー  であることです。
１３．地球における、電子のラブの公転軌道の引力と、陽子のラブの公転軌道の引力はどれ位か。図８
電子のラブの公転軌道の引力は、１０−３１Ｊ・ｍ÷（１．２５×１０−１０ｍ）＝８×１０−２２Ｊです。
陽子のラブの公転軌道の引力は、１０−３１Ｊ・ｍ÷（６．７×１０−１４ｍ）＝１．４９×１０−１８Ｊです。
電子のラブの公転軌道の引力×陽子のラブの公転軌道の引力＝８×１０−２２Ｊ×１．４９×１０−１８Ｊ＝１．１９２×１０−３９Ｊ２
地球における、電子のラブの公転軌道の引力×陽子のラブの公転軌道の引力は、１．１９２×１０−３９Ｊ２です。
１４．核融合反応が行われる場における、電子のラブの公転軌道の引力と、陽子のラブの公転軌道の引力はどれ位か。図９
電子のラブの公転軌道の引力は、１０−３１Ｊ・ｍ÷（２．５×１０−１７ｍ）＝４×１０−１５Ｊです。
陽子のラブの公転軌道の引力は、１０−３１Ｊ・ｍ÷（１．３４×１０−２０ｍ）＝７．４６×１０−１２Ｊです。
電子のラブの公転軌道の引力×陽子のラブの公転軌道の引力＝４×１０−１５Ｊ×７．４６×１０−１２Ｊ＝２．９８４×１０−２６Ｊ２
核融合反応が行われる場における、電子のラブの公転軌道の引力×陽子のラブの公転軌道の引力は、２．９８４×１０−２６Ｊ２です。
１５．核融合反応が行われる場における、電子のラブの公転軌道の引力×陽子のラブの公転軌道の引力は、地球における、電子のラブの公転軌道の引力×陽子のラブの公転軌道の引力の何倍か。
核融合反応が行われる場における、電子のラブの公転軌道の引力×陽子のラブの公転軌道の引力は、２．９８４×１０−２６Ｊ２です。
地球における、電子のラブの公転軌道の引力×陽子のラブの公転軌道の引力は、１．１９２×１０−３９Ｊ２です。
核融合反応が行われる場における、電子のラブの公転軌道の引力×陽子のラブの公転軌道の引力は、地球における、電子のラブの公転軌道の引力×陽子のラブの公転軌道の引力の、２．９８４×１０−２６Ｊ２÷（１．１９２×１０−３９Ｊ２）＝２．５×１０１３倍です。
１６．核融合反応が行われる場の引力が中性子を作った事は、何によって証明できるか。図１０
中性子の質量エネルギーは、９３９．６ＭｅＶです。
陽子の質量エネルギーは、９３８．３ＭｅＶです。
電子の質量エネルギーは、０．５１１ＭｅＶです。
それで、中性子の電子のエネルギーは、９３９．６ＭｅＶ−９３８．３ＭｅＶ＝１．３ＭｅＶに成っています。
これは、電子の質量エネルギーの、１．３ＭｅＶ÷０．５１１ＭｅＶ＝２．５４４倍になっています。
この事は、電子のラブの軌道は、２．５４４分の１に小さく成っています。
この事は、電子のラブが陽子のラブに引き付けられた事を証明しています。
中性子では、電子のラブの自転軌道は、１．２５×１０−１８ｍ÷２．５４４＝４．９１３×１０−１９ｍになっている。
どれだけ、陽子のラブにより、電子のラブは引き寄せられたか。
１．２５×１０−１８ｍ−（４．９１３×１０−１９ｍ）＝７．５８７×１０−１９ｍ引き寄せられ、自転軌道は小さくなっています。
【発明の効果】
【０００６】１．中性子とは陽子のラブの自転の周囲を、電子のラブが自転しているものであることが理解できた。
２．核融合反応とは、高エネルギーの場で、軌道が小さくなり、引力が大きくなり、陽子のラブに電子のラブが引き寄せられ、陽子のラブの自転の周囲を電子のラブが自転するようになる事であると理解できた。
３．陽子のラブの秒速は約２×１０３ｍであると理解できた。
４．陽子のラブの自転回数は電子のラブの自転回数と同じであり、陽子のラブの公転回数は電子のラブの公転回数と同じであるから、一緒に自転し、公転している事が理解できた。
５．陽子のラブが作る磁気の光子の運動量と、電子のラブが作る磁気の光子の運動量は等しい事が理解できた。
６．陽子のラブが作る電気の光子の運動量と、電子のラブが作る電気の光子の運動量は等しい事が理解できた。
７．万有引力の半分は陽子のラブの自転によってできる事が理解できた。
【図面の簡単な説明】
【０００７】
【図１】中性子は、陽子のラブが６．７×１０−２２ｍの軌道を自転し、その周囲を、電子のラブが４．９１３×１０−１９ｍの軌道で自転している。
【図２】陽子のラブの公転軌道は６．７×１０−１４ｍで、自転軌道は６．７×１０−２２ｍです。
【図３】１秒間の、陽子のラブの自転数と、電子のラブの自転数は同じです。１秒間の、陽子のラブの公転数と、電子のラブの公転数は同じです。陽子のラブと電子のラブは一緒の方向で自転し、公転する。
【図４】陽子のラブが作る、軌道１ｍにおける磁気の光子のエネルギーは１０−３１Ｊで、電気の光子のエネルギーは１０−２３Ｊです。
【図５】地球において、陽子のラブと電子のラブはどのように自転し公転しているかを示す
【図６】核融合反応が行われる場において、陽子のラブと電子のラブはどのように自転し公転しているかを示す。
【図７】地球において、電子のラブと陽子のラブが離れている距離は、１．２５×１０−１０ｍです。核融合反応が行われる場において、電子のラブと陽子のラブが離れている距離は、２．５×１０−１７ｍです。それで、引力は、２．５×１０１３倍です。
【図８】地球において、電子のラブの公転軌道の引力×陽子のラブの公転軌道の引力＝８×１０−２２Ｊ×１．４９×１０−１８Ｊ＝１．１９２×１０−３９Ｊ２を示す。
【図９】核融合反応が行われる場において、電子のラブの公転軌道の引力×陽子のラブの公転軌道の引力＝４×１０−１５Ｊ×７．４６×１０−１２Ｊ＝２．９８４×１０−２６Ｊ２を示す。
【図１０】中性子の電子のラブの自転軌道は、陽子のラブにより、７．５８７×１０−１９ｍ引き寄せられ小さくなっている。
【符号の説明】
【０００８】１  中性子の電子のラブ
２  中性子の陽子のラブ
３  中性子の電子のラブの自転軌道
４  中性子の陽子のラブの自転軌道
５  陽子のラブ
６  陽子のラブの自転軌道
７  陽子のラブの公転軌道（１０８回の自転で１公転です。）
８  ａｂｃｄは陽子のラブの公転方向
９  ａ′ｂ′ｃ′ｄ′は電子のラブの公転方向
１０  電子のラブ
１１  １ｍの軌道
１２  電子のラブの自転軌道
１３  電子のラブの公転軌道
１４  核融合反応が行われる場の電子のラブの自転軌道
１５  核融合反応が行われる場の電子のラブの公転軌道
１６  核融合反応が行われる場の陽子のラブの自転軌道
１７  核融合反応が行われる場の陽子のラブの公転軌道
１８  電子のラブが単独の場合の自転軌道
【図１】
2005310802.tif 000003
【図２】
2005310802.tif 000004
【図３】
2005310802.tif 000005
【図４】
2005310802.tif 000006
【図５】
2005310802.tif 000007
【図６】
2005310802.tif 000008
【図７】
2005310802.tif 000009
【図８】
2005310802.tif 000010
【図９】
2005310802.tif 000011
【図１０】
2005310802.tif 000012